(57)【要約】【課題】印刷中の印刷ジョブの選択を制限されることによるユーザーの不便さを解消する。【解決手段】印刷装置２は、印刷ジョブを蓄積する記憶部２６と、記憶部２６に蓄積された印刷ジョブのうち、印刷対象となる印刷ジョブをユーザーが選択するための操作パネル２４と、制御部２１と、を備え、制御部２１は、他の印刷装置２からの要求に応じて、記憶部２６に蓄積された印刷ジョブを他の印刷装置２に送信し、他の印刷装置２に送信した印刷ジョブが印刷されている間、他の印刷装置２で印刷されている印刷ジョブである印刷中ジョブに印刷制限がある場合は、印刷中ジョブの操作パネル２４による選択を制限し、印刷中ジョブに印刷制限がない場合は、印刷中ジョブの操作パネル２４による選択を制限しない。【選択図】図２
2020168766.tif 000002
【特許請求の範囲】
【請求項１】
印刷ジョブを蓄積する記憶部と、
前記記憶部に蓄積された前記印刷ジョブのうち、印刷対象となる前記印刷ジョブをユーザーが選択するための操作部と、
他の印刷装置からの要求に応じて、前記記憶部に蓄積された前記印刷ジョブを前記他の印刷装置に送信する送信制御部と、
前記他の印刷装置に送信した前記印刷ジョブが印刷されている間、前記他の印刷装置で印刷されている前記印刷ジョブである印刷中ジョブに印刷制限がある場合は、前記印刷中ジョブの前記操作部による選択を制限し、前記印刷中ジョブに印刷制限がない場合は、前記印刷中ジョブの前記操作部による選択を制限しない制限制御部と、を備えることを特徴とする印刷装置。
【請求項２】
他の印刷装置に蓄積されている印刷ジョブのうち、印刷対象となる前記印刷ジョブをユーザーが選択するための操作部と、
選択された前記印刷ジョブの送信を、前記他の印刷装置に要求する要求制御部と、
前記他の印刷装置に蓄積されている前記印刷ジョブが印刷されている間、前記他の印刷装置で印刷されている前記印刷ジョブである印刷中ジョブに印刷制限がある場合は、前記印刷中ジョブの前記操作部による選択を制限し、前記印刷中ジョブに印刷制限がない場合は、前記印刷中ジョブの前記操作部による選択を制限しない制限制御部と、を備えることを特徴とする印刷装置。
【請求項３】
前記制限制御部は、自装置で前記印刷ジョブが印刷されている間、自装置で印刷されている前記印刷ジョブに印刷制限がある場合は、前記他の印刷装置に対し、自装置で印刷されている前記印刷ジョブの選択を制限させるための通知を行い、自装置で印刷されている前記印刷ジョブに印刷制限がない場合は、前記他の印刷装置に対し、前記通知を行わないことを特徴とする請求項１または２に記載の印刷装置。
【請求項４】
前記操作部は、複数の前記印刷ジョブに対応した複数の選択肢のなかから、いずれかの選択肢が選択されることにより、印刷対象となる前記印刷ジョブが選択され、
前記制限制御部は、前記印刷中ジョブに対応する選択肢を非表示とすることにより、前記操作部による選択を制限することを特徴とする請求項１ないし３のいずれか１項に記載の印刷装置。
【請求項５】
前記制限制御部は、前記操作部による選択を制限する場合、前記他の印刷装置で前記印刷ジョブが印刷されている旨をユーザーに通知することを特徴とする請求項１ないし４のいずれか１項に記載の印刷装置。
【請求項６】
前記印刷制限は、前記印刷ジョブの印刷を繰り返す回数の制限であることを特徴とする請求項１ないし５のいずれか１項に記載の印刷装置。
【請求項７】
前記印刷制限は、前記印刷ジョブの印刷ページ数の制限であることを特徴とする請求項１ないし５のいずれか１項に記載の印刷装置。
【請求項８】
複数の印刷装置の間で、印刷ジョブの送受信を行う印刷システムの制御方法であって、
前記印刷装置は、
印刷対象となる前記印刷ジョブをユーザーが選択するための操作部を備えており、
複数の前記印刷装置のうち自装置以外の印刷装置である他の印刷装置で印刷されている前記印刷ジョブである印刷中ジョブに印刷制限がある場合は、前記印刷中ジョブの前記操作部による選択を制限し、前記印刷中ジョブに印刷制限がない場合は、前記印刷中ジョブの前記操作部による選択を制限しないことを特徴とする印刷システムの制御方法。
【発明の詳細な説明】
【技術分野】
【０００１】
本発明は、印刷装置、および印刷システムの制御方法に関するものである。
【背景技術】
【０００２】
従来、例えば特許文献１には、複数の印刷装置の間で印刷ジョブを送受信する印刷システムが開示されている。このような印刷システムにおいて、第１の印刷装置に蓄積されている印刷ジョブを、第２の印刷装置が印刷対象として選択し、選択した印刷ジョブを第１の印刷装置から受信して印刷可能な技術が知られている。この場合、第２の印刷装置で印刷ジョブが印刷されている間、第１の印刷装置では、その印刷ジョブの選択操作が制限される。
【先行技術文献】
【特許文献】
【０００３】
【特許文献１】特開２０１７−１１５１５号公報
【発明の概要】
【発明が解決しようとする課題】
【０００４】
従来の技術では、他の印刷装置で印刷ジョブが印刷されている間、印刷ジョブの設定によらず印刷ジョブの選択操作が制限されるため、不便である。
【課題を解決するための手段】
【０００５】
本発明の印刷装置は、印刷ジョブを蓄積する記憶部と、記憶部に蓄積された印刷ジョブのうち、印刷対象となる印刷ジョブをユーザーが選択するための操作部と、他の印刷装置からの要求に応じて、記憶部に蓄積された印刷ジョブを他の印刷装置に送信する送信制御部と、他の印刷装置に送信した印刷ジョブが印刷されている間、他の印刷装置で印刷されている印刷ジョブである印刷中ジョブに印刷制限がある場合は、印刷中ジョブの操作部による選択を制限し、印刷中ジョブに印刷制限がない場合は、印刷中ジョブの操作部による選択を制限しない制限制御部と、を備える。
【０００６】
本発明の印刷装置は、他の印刷装置に蓄積されている印刷ジョブのうち、印刷対象となる印刷ジョブをユーザーが選択するための操作部と、選択された印刷ジョブの送信を、他の印刷装置に要求する要求制御部と、他の印刷装置に蓄積されている印刷ジョブが印刷されている間、他の印刷装置で印刷されている印刷ジョブである印刷中ジョブに印刷制限がある場合は、印刷中ジョブの操作部による選択を制限し、印刷中ジョブに印刷制限がない場合は、印刷中ジョブの操作部による選択を制限しない制限制御部と、を備える。
【０００７】
本発明の印刷システムの制御方法は、複数の印刷装置の間で、印刷ジョブの送受信を行う印刷システムの制御方法であって、印刷装置は、印刷対象となる印刷ジョブをユーザーが選択するための操作部を備えており、複数の印刷装置のうち自装置以外の印刷装置である他の印刷装置で印刷されている印刷ジョブである印刷中ジョブに印刷制限がある場合は、印刷中ジョブの操作部による選択を制限し、印刷中ジョブに印刷制限がない場合は、印刷中ジョブの操作部による選択を制限しない。
【図面の簡単な説明】
【０００８】
【図１】印刷システムのシステム構成図である。
【図２】印刷装置のハードウェア構成を示すブロック図である。
【図３】文書リスト記憶領域の説明図である。
【図４】文書データベースの説明図である。
【図５】自装置で文書A01を印刷している場合の、文書リストの表示例を示す図である。
【図６】「印刷後削除設定：有効」の文書A01が他の印刷装置で印刷されている場合の、文書リストの表示例を示す図である。
【図７】自装置で文書A02を印刷している場合の、文書リストの表示例を示す図である。
【図８】「印刷後削除設定：無効」の文書A02が他の印刷装置で印刷されている場合の、文書リストの表示例を示す図である。
【図９】「印刷後削除設定：有効」の文書A01が文書リスト記憶領域から削除された場合の、文書リストの表示例を示す図である。
【図１０】「印刷後削除設定：有効」の文書A01を印刷対象として、親機で印刷を行う場合の、印刷処理の流れを示すフローチャートである。
【図１１】「印刷後削除設定：無効」の文書A02を印刷対象として、親機で印刷を行う場合の、印刷処理の流れを示すフローチャートである。
【図１２】「印刷後削除設定：有効」の文書A01を印刷対象として、子機で印刷を行う場合の、印刷処理の流れを示すフローチャートである。
【図１３】「印刷後削除設定：無効」の文書A02を印刷対象として、子機で印刷を行う場合の、印刷処理の流れを示すフローチャートである。
【発明を実施するための形態】
【０００９】
以下、一実施形態に係る印刷装置、および印刷システムの制御方法について、添付図面を参照して説明する。図１は、印刷システムＳＹのシステム構成図である。印刷システムＳＹは、ＰＣ（Personal Computer）と、複数台の印刷装置２と、を備え、これらはネットワークＮＷを介して接続される。ネットワークＮＷは、例えば、ＬＡＮやインターネット通信網である。
【００１０】
本実施形態では、複数台の印刷装置２として、３台の印刷装置２が印刷システムＳＹに含まれ、これら３台の印刷装置２の間において、ＰＣ１から受信した文書の送受信が可能であるものとする。文書は、「印刷ジョブ」の一例である。文書は、文書を受信した印刷装置２内に蓄積される。また、文書は印刷装置２が有するスキャナーを用いてスキャン動作を行うことで印刷装置２によって生成された「印刷ジョブ」であってもよい。この場合は、文書はスキャン動作を行った印刷装置２内に蓄積される。以下の説明では、印刷対象となる文書を蓄積している印刷装置２を「親機」と称し、印刷対象となる文書を蓄積していない印刷装置２を「子機」と称する。また、これら３台の印刷装置２は、いずれもユーザーの認証を行なって印刷を許可する認証印刷が可能であるものとする。
【００１１】
図２は、印刷装置２のハードウェア構成を示すブロック図である。同図は、親機として機能する印刷装置２のハードウェア構成を示したものである。印刷装置２は、制御部２１、通信部２２、カードリーダー２３、操作パネル２４、印刷機構２５および記憶部２６を備える。印刷装置２が親機として機能する場合、制御部２１は、「送信制御部」および「制限制御部」の一例である。印刷装置２が子機として機能する場合、制御部２１は、「要求制御部」および「制限制御部」の一例である。また、操作パネル２４は、「操作部」の一例である。
【００１２】
制御部２１は、ＣＰＵ（Central Processing Unit）２１ａ、ＲＯＭ（Read Only Memory）２１ｂおよびＲＡＭ（Random Access Memory）２１ｃを含み、印刷装置２内の各部を制御する。ＣＰＵ２１ａは、ＲＯＭ２１ｂに記憶された制御プログラムを、ＲＡＭ２１ｃに展開して各種演算処理を行う。また、ＲＡＭ２１ｃは、文書リスト４０（図５等参照）として表示する文書の一覧を記憶する文書リスト記憶領域３１を有する。
【００１３】
図３は、文書リスト記憶領域３１の説明図である。文書リスト記憶領域３１は、「文書名」と、「ユーザーＩＤ」と、「印刷後削除設定」と、「親機」と、を対応付けて記憶する。「ユーザーＩＤ」とは、文書の印刷を指示したユーザーを識別する情報である。「印刷後削除設定」とは、文書を印刷した後、文書データベース３２からその文書を削除するか、削除しないか、の設定を指す。以下、前者の設定を、「印刷後削除設定：有効」、後者の設定を、「印刷後削除設定：無効」と称する。「印刷後削除設定：有効」は、「印刷制限がある場合」の一例であり、「印刷後削除設定：無効」は、「印刷制限がない場合」の一例である。また、「印刷後削除設定」は、「印刷ジョブの印刷を繰り返す回数の制限」の一例である。なお、「印刷後削除設定」は、印刷装置２が、自装置に設定された印刷後削除設定にしたがって、文書を受信した時点で「有効」と「無効」のいずれかに設定するが、ユーザーが文書単位で設定を変更することも可能である。
【００１４】
また、文書リスト記憶領域３１に記憶される情報の一つである「親機」とは、その文書を蓄積している印刷装置２を指す。例えば、図３の例は、識別情報「P01」の印刷装置２の文書データベース３２に、文書名「A01」、「A02」および「A03」の文書が蓄積され、識別情報「P02」の印刷装置２の文書データベース３２に、文書名「A04」の文書が蓄積されていることを意味する。印刷システムＳＹに含まれる全ての印刷装置２は、文書リスト記憶領域３１に、同じ情報を記憶することになる。
【００１５】
なお、制御部２１は、ＣＰＵ２１ａ以外のプロセッサーを用いてもよい。例えば、プロセッサーは、ＡＳＩＣ（Application Specific Integrated Circuit）等のハードウェア回路でもよいし、１以上のＣＰＵとＡＳＩＣ等のハードウェア回路が協働して動作する構成でもよい。
【００１６】
通信部２２は、ネットワークＮＷを介して、ＰＣ１、および他の印刷装置２と通信する。カードリーダー２３は、ユーザー認証を行なうため、ユーザーＩＤが記録されたカード媒体を読み取る。また、パスワード認証や生体認証などでユーザー認証を行なってもよい。なお、以下の説明では、ユーザーがカード媒体をカードリーダー２３に読み取らせることやパスワードを入力することや生体読取を行わせることを、「ログインする」と称する。
【００１７】
操作パネル２４は、ユーザーからの各種操作を受け付けると共に、ユーザーに対し各種情報を提示する。本実施形態において操作パネル２４は、主に、文書リスト４０（図５等参照）を表示し、文書の選択操作や印刷指示操作を受け付けるために用いられる。
【００１８】
印刷機構２５は、コピー用紙等の印刷媒体に印刷を行う機構である。印刷機構２５には、例えば印刷装置２がインクジェットプリンターの場合、インクジェットヘッド、インクジェットヘッドを駆動するヘッド駆動機構、印刷媒体を搬送する印刷媒体搬送機構などが含まれる。
【００１９】
記憶部２６は、例えばフラッシュメモリーであり、文書データベース３２などを記憶する。文書データベース３２は、ＰＣ１から受信した文書を蓄積しておくためのデータベースである。
【００２０】
図４は、文書データベース３２の説明図である。文書データベース３２は、「文書名」と、「ユーザーＩＤ」と、「印刷後削除設定」と、「文書データ」と、を対応付けて記憶する。「文書データ」とは、文書本体のデータである。同図は、図３に示した文書リスト記憶領域３１が、印刷システムＳＹ内の各印刷装置２に記憶されている場合の、識別情報「P01」の印刷装置２に記憶されている文書データベース３２の例を示したものである。したがって、同図に示す文書データベース３２には、図３に示した文書リスト記憶領域３１において、親機の識別情報「P01」が対応付けられた文書名「A01」、「A02」および「A03」の文書が蓄積されている。
【００２１】
次に、図５ないし図９を参照し、操作パネル２４に表示される文書リスト４０について説明する。上記のとおり、制御部２１は、文書リスト記憶領域３１を参照して文書リスト４０を表示する。図５ないし図８では、図３に示す文書リスト記憶領域３１が、印刷システムＳＹ内の各印刷装置２に記憶されており、且つ、ユーザーＩＤ「U001」のユーザーがログインした場合の表示例を示している。したがって、文書リスト４０には、文書リスト記憶領域３１に記憶されている文書のうち、ユーザーＩＤ「U001」が対応付けられた文書名「A01」の文書および文書名「A02」の文書の少なくとも一方に対応する選択肢が表示される。なお、以下の説明では、例えば、文書名「A01」の文書を、単に「文書A01」と表記する。
【００２２】
ユーザーは、文書リスト４０に表示される選択肢のうち、いずれかの選択肢を選択することにより、印刷対象となる文書を選択する。特に図示しないが、制御部２１は、文書リスト４０に表示された選択肢のうち、ユーザーによりいずれかの選択肢が選択されると、印刷ボタンを表示し、ユーザーにより印刷ボタンが選択されると、選択された選択肢に対応する文書の印刷を行う。すなわち、ユーザーは、印刷ボタンの選択により、印刷指示を行う。
【００２３】
なお、以下の説明では、同じユーザーＩＤが記録されたカード媒体を所有するユーザーが、２台の印刷装置２に同時期にログインする場合を想定している。このような状況は、例えば企業等で部署ごとに異なるユーザーＩＤが割り当てられ、同じ部署内の異なる人物が、異なる印刷装置２にそれぞれログインする場合などが考えられる。
【００２４】
図５は、文書A01を印刷している印刷装置２の操作パネル２４に表示される文書リスト４０の表示例を示す図である。この場合、制御部２１は、文書A01に対応する選択肢４１のアイコン内に、文書名と、その文書が印刷中である旨をユーザーに通知するメッセージ４１ａと、を表示する。また、このとき、制御部２１は、選択肢４１のアイコン内に表示されるチェックボックスを、選択状態とする。一方、制御部２１は、文書A02に対応する選択肢４２のアイコン内に、文書名を表示する。また、このとき、制御部２１は、選択肢４２のアイコン内に表示されるチェックボックスを、非選択状態とする。印刷システムＳＹに含まれる複数台の印刷装置２のうち、いずれかの印刷装置２の操作パネル２４において、図５に示す表示が行われている場合、他の印刷装置２の操作パネル２４には、図６に示す文書リスト４０が表示される。
【００２５】
上記のとおり、文書A01は、「印刷後削除設定：有効」である（図３参照）。このため、文書A01が印刷中の場合、図６に示すとおり、文書A01を印刷している印刷装置２以外の他の印刷装置２では、文書名「A01」が表示された選択肢は非表示となる。また、他の印刷装置２では、文書A01に対応する選択肢４１の表示位置（符号４４参照）に、その表示位置に対応する文書が他の印刷装置２で印刷されている旨をユーザーに通知するメッセージ４４ａが表示される。以下、このように文書名が表示された選択肢を表示せず、メッセージ４４ａのみを表示することを、「文書の選択肢を非表示にする」と表現する。また、文書A02に対応する選択肢４５は、図５に示した文書A02に対応する選択肢４２と同じ表示となっている。なお、図６の例において、「文書A01」は「印刷中ジョブ」の一例である。
【００２６】
一方、図７は、文書A02を印刷している印刷装置２の操作パネル２４に表示される文書リスト４０の表示例を示す図である。この場合、制御部２１は、文書A01に対応する選択肢４１のアイコン内のチェックボックスを非選択状態とする。また、制御部２１は、文書A02に対応する選択肢４８のアイコン内に、その文書が印刷中である旨をユーザーに通知するメッセージ４８ａを表示すると共に、チェックボックスを選択状態とする。印刷システムＳＹに含まれる複数台の印刷装置２のうち、いずれかの印刷装置２の操作パネル２４において、図７に示す表示が行われている場合、他の印刷装置２の操作パネル２４には、図８に示す文書リスト４０が表示される。
【００２７】
上記のとおり、文書A02は、「印刷後削除設定：無効」である（図３参照）。このため、文書A02が印刷中の場合でも、図８に示すとおり、文書A02を印刷している印刷装置２以外の他の印刷装置２では、文書A02に対応する選択肢５２は非表示とはならず、図５に示した文書A02に対応する選択肢４２と同じ表示となっている。また、文書A01に対応する選択肢５１は、図７に示した文書A01に対応する選択肢４７と同じ表示となっている。なお、図８の例において、「文書A02」は「印刷中ジョブ」の一例である。
【００２８】
このように、印刷中の文書の印刷後削除設定が「印刷後削除設定：有効」の場合、文書を印刷している印刷装置２以外の他の印刷装置２では、その印刷中の文書に対応する選択肢の選択が制限される。一方、印刷中の文書の印刷後削除設定が「印刷後削除設定：無効」の場合、文書を印刷している印刷装置２以外の他の印刷装置２では、その印刷中の文書に対応する選択肢の選択が制限されない。
【００２９】
図９は、文書A01が文書リスト記憶領域３１から削除された場合の、文書リスト４０の表示例を示す図である。上記のとおり、文書A01は、「印刷後削除設定：有効」であるため（図３参照）、制御部２１は、文書A01の印刷終了後、文書リスト記憶領域３１および文書データベース３２から、文書A01に関する情報を削除する。この場合、制御部２１は、図９に示すように、文書A01に対応する選択肢の表示位置を設けることなく、文書A02に対応する選択肢５４のみを、文書リスト４０に表示する。以下、このように文書A01に対応する選択肢の表示位置を設けることなく、文書A01に対応する選択肢を非表示とすることを、「文書の選択肢を削除する」と表現する。
【００３０】
次に、図１０ないし図１２のフローチャートを参照し、印刷システムＳＹによる印刷処理の流れを説明する。ここでは、便宜上、主語を、「親機」、「第１子機」および「第２子機」として説明する。「親機」は、以下のフローチャートにおいて印刷対象となる文書を蓄積している印刷装置２であり、「子機」は、印刷対象となる文書を蓄積していない印刷装置２である。なお、以下の説明では、「親機」、「第１子機」および「第２子機」は、同一ユーザーＩＤのユーザーのログインが完了し、操作パネル２４に文書リスト４０が表示されている状態であるものとする。
【００３１】
図１０は、「印刷後削除設定：有効」の文書A01を印刷対象として、親機で印刷を行う場合の印刷処理の流れを示すフローチャートである。親機は、ＰＣ１から文書A01を受信すると（Ｓ０１）、文書A01に関する情報を文書データベース３２に蓄積する（Ｓ０２）。ここで、文書データベース３２に蓄積する情報は、図４に示した「文書名」と、「ユーザーＩＤ」と、「印刷後削除設定」と、を示す情報と、文書データである。また、このとき、親機は、文書リスト記憶領域３１にも、文書A01に関する情報を記憶する。ここで、文書リスト記憶領域３１に記憶する情報は、図３に示した「文書名」と、「ユーザーＩＤ」と、「印刷後削除設定」と、「親機」と、を示す情報である。
【００３２】
親機は、文書A01の受信を第１子機および第２子機に通知する（Ｓ０３）。このとき、親機は、文書A01に関する情報、すなわち文書リスト記憶領域３１に記憶すべき情報を第１子機および第２子機に通知する。第１子機および第２子機は、親機からの通知を受け、文書A01の選択肢を文書リスト４０に追加する（Ｓ０４，Ｓ０５）。このとき、第１子機および第２子機は、文書リスト記憶領域３１にも、文書A01に関する情報を記憶する。
【００３３】
親機は、文書リスト４０のなかから、ユーザーによる文書A01の選択を受け付けると（Ｓ０６）、文書A01の選択を第１子機および第２子機に通知する（Ｓ０７）。このＳ０７の通知は、「印刷ジョブの選択を制限させるための通知」の一例である。第１子機および第２子機は、親機からの通知を受け、文書リスト４０から、文書A01の選択肢を非表示にする（Ｓ０８，Ｓ０９）。また、親機は、ユーザーによる文書A01の印刷指示を受け付けると（Ｓ１０）、文書A01を印刷する（Ｓ１１）。
【００３４】
親機は、文書A01の印刷を終了すると（Ｓ１２）、文書A01の印刷終了を第１子機および第２子機に通知する（Ｓ１３）。第１子機および第２子機は、親機からの通知を受け、文書リスト記憶領域３１から、文書A01の文書に関する情報を削除する（Ｓ１４，Ｓ１５）。このとき、親機が、第１子機および第２子機に対し、文書A01の文書に関する情報を削除するように指示してもよい。若しくは、第１子機および第２子機が、文書A01の印刷終了通知を受けると、文書リスト記憶領域３１を参照して文書A01の印刷後削除設定を確認し、文書A01の印刷後削除設定「印刷後削除設定：有効」であることから、文書A01の文書に関する情報を削除する構成でもよい。なお、第１子機および第２子機は、文書リスト記憶領域３１から、文書A01の文書に関する情報を削除する際、文書リスト４０からも、文書A01の選択肢を削除する。一方、親機は、文書リスト記憶領域３１および文書データベース３２から、文書A01の文書に関する情報を削除する（Ｓ１６）。このとき、親機は、文書リスト４０からも、文書A01の選択肢を削除する。
【００３５】
図１１は、「印刷後削除設定：無効」の文書A02を印刷対象として、親機で印刷を行う場合の印刷処理の流れを示すフローチャートである。Ｓ２１ないしＳ２５は、印刷対象となる文書が異なるのみで、図１０に示したＳ０１ないしＳ０５と同様の処理である。本例において、親機は、文書リスト４０のなかから、ユーザーによる文書A02の選択を受け付けたとき（Ｓ２６）、図１０の例のように、子機に対して通知しない。これは、文書A02の印刷後削除設定が「印刷後削除設定：無効」であるためである。
【００３６】
親機は、ユーザーによる文書A02の印刷指示を受け付けると（Ｓ２７）、文書A02を印刷する（Ｓ２８）。また、親機は、文書A01の印刷を終了したとき（Ｓ２９）、図１０の例のように、文書A02の印刷終了を子機に通知しない。これは、文書A02の印刷後削除設定が「印刷後削除設定：無効」であるためである。
【００３７】
図１２は、「印刷後削除設定：有効」の文書A01を印刷対象として、子機で印刷を行う場合の印刷処理の流れを示すフローチャートである。Ｓ３１ないしＳ３５は、図１０に示したＳ０１ないしＳ０５と同様の処理である。第１子機は、文書リスト４０のなかから、ユーザーによる文書A01の選択を受け付けると（Ｓ３６）、文書A01の選択を親機に通知する（Ｓ３７）。このＳ３７の通知は、「印刷ジョブの選択を制限させるための通知」の一例である。親機は、第１子機からの通知を受け、文書リスト４０から、文書A01の選択肢を非表示にする（Ｓ３８）と共に、文書A01の選択を第２子機に通知する（Ｓ３９）。第２子機は、親機からの通知を受け、文書リスト４０から、文書A01の選択肢を非表示にする（Ｓ４０）。
【００３８】
第１子機は、ユーザーによる文書A01の印刷指示を受け付けると（Ｓ４１）、親機に対し、文書A01の送信を要求する（Ｓ４２）。親機は、第１子機からの要求に対し、文書A01の文書データを送信する（Ｓ４３）。第１子機は、親機から、文書A01の文書データを受信すると（Ｓ４４）、文書A01を印刷する（Ｓ４５）。
【００３９】
また、第１子機は、文書A01の印刷を終了すると（Ｓ４６）、文書A01の印刷終了を親機に通知する（Ｓ４７）。親機は、第１子機からの通知を受け、文書リスト記憶領域３１および文書データベース３２から、文書A01の文書に関する情報を削除する（Ｓ４８）。また、親機は、文書A01の印刷終了を第２子機に通知する（Ｓ４９）。第２子機は、文書A01の印刷終了通知を受けると、文書リスト記憶領域３１から、文書A01の文書に関する情報を削除する（Ｓ５０）。一方、第１子機は、文書A01の印刷終了を親機に通知した後（Ｓ４７）、文書リスト記憶領域３１から、文書A01の文書に関する情報を削除する（Ｓ５０）。また、このとき、第１子機は、親機から受信した文書A01の文書データも削除する。
【００４０】
図１３は、「印刷後削除設定：無効」の文書A02を印刷対象として、子機で印刷を行う場合の印刷処理の流れを示すフローチャートである。Ｓ６１ないしＳ６５は、図１１に示したＳ２１ないしＳ２５と同様の処理である。本例において、第１子機は、文書リスト４０のなかから、ユーザーによる文書A02の選択を受け付けたとき（Ｓ６６）、図１２の例のように、親機に通知しない。これは、文書A02の印刷後削除設定が「印刷後削除設定：無効」であるためである。
【００４１】
また、第１子機は、ユーザーによる文書A02の印刷指示を受け付けると（Ｓ６７）、親機に対し、文書A02の送信を要求する（Ｓ６８）。親機は、第１子機からの要求に対し、文書A02の文書データを送信する（Ｓ６９）。第１子機は、親機から、文書A02の文書データを受信すると（Ｓ７０）、文書A02を印刷する（Ｓ７１）。また、第１子機は、文書A02の印刷を終了したとき（Ｓ７２）、図１２の例のように、文書A02の印刷終了を子機に通知しない。これは、文書A02の印刷後削除設定が「印刷後削除設定：無効」であるためである。
【００４２】
以上、説明したとおり、本実施形態に係る印刷システムＳＹによれば、「印刷後削除設定：有効」の文書が印刷されている間、文書を印刷している印刷装置２以外の他の印刷装置２では、その印刷中の文書の選択を制限する。一方、「印刷後削除設定：無効」の文書が印刷されている間、文書を印刷している印刷装置２以外の他の印刷装置２では、その印刷中の文書の選択を制限しない。つまり、文書の印刷後削除設定に応じて、文書の選択の制限が必要なときのみ、文書の選択を制限するため、文書の設定によらず文書の選択が制限されることによるユーザーの不便さを解消することができる。
【００４３】
また、印刷装置２は、自装置で文書を印刷しているとき、印刷中の文書が「印刷後削除設定：無効」の場合、他の印刷装置２に対し、印刷中の文書の選択を制限させるための通知を行わない。このため、他の印刷装置２において、印刷中の文書の選択を制限されることによるユーザーの不便さを解消することができる。
【００４４】
また、印刷装置２は、他の印刷装置２で印刷されている文書に対応する選択肢を非表示とするため、印刷中の文書の選択を確実に制限することができる。また、印刷装置２は、文書の選択を制限する場合、他の印刷装置２で文書が印刷されている旨をユーザーに通知するため、ユーザーは、文書を選択できない理由を把握することができる。
【００４５】
なお、上記の実施形態によらず、以下の変形例を採用可能である。
［変形例１］
図１０のフローチャートにおいて、第１子機および第２子機が、文書リスト４０から文書A01の選択肢を非表示にした後（Ｓ０８，Ｓ０９参照）、親機で印刷エラーが発生したり、印刷ボタンの選択が行われずに文書の選択がキャンセルされたり、印刷中に印刷がキャンセルされたりというように印刷が完了しなかった場合、第１子機および第２子機において、文書A01の選択肢の表示を復活させてもよい。この場合、親機は、印刷が完了しなかった旨を第１子機および第２子機に通知し、第１子機および第２子機が、この通知を受けて、選択肢の表示を復活させればよい。もし、文書が選択された後、その文書の印刷設定を行うことが可能なシステムであれば、印刷設定中にキャンセルが行われた場合にもその文書の選択肢の表示を復活させてもよい。これらは、図１２のフローの場合でも同様である。
【００４６】
［変形例２］
上記の実施形態では、文書ごとに印刷後削除設定を行ったが、文書ごとに印刷制限を行ってもよい。つまり、印刷数「１回」の制限だけでなく、複数回の印刷制限を行ってもよい。親機として機能する印刷装置２は、文書が印刷制限されている場合、文書の印刷数が上限値に達したときに、その文書を文書データベース３２から削除する。
【００４７】
［変形例３］
例えば、印刷制限として、文書の印刷を繰り返す回数などの印刷数を制限してもよい。この場合、各印刷装置２は、文書リスト記憶領域３１に、文書の印刷を繰り返す回数の残数を記憶しておく。また、各印刷装置２は、文書の印刷を繰り返す回数の残数に応じて、文書リスト記憶領域３１や文書データベース３２から、対象となる文書に関する情報を削除するか否かを判断する。具体的には、印刷を行った印刷装置２は、印刷終了後、他の印刷装置２に対し、印刷終了と共に、印刷数を通知する。通知を受けた印刷装置２は、文書リスト記憶領域３１に記憶されている文書の印刷を繰り返す回数の残数から印刷数を指し引き、残数が「０」になったとき、文書リスト記憶領域３１や文書データベース３２から、対象となる文書に関する情報を削除する。
【００４８】
［変形例４］
また、印刷制限として、文書の印刷ページ数などの印刷数を制限してもよい。この場合、各印刷装置２は、文書リスト記憶領域３１に、文書の印刷ページ数の残ページ数を記憶しておく。また、各印刷装置２は、残ページ数に応じて、文書リスト記憶領域３１や文書データベース３２から、対象となる文書に関する情報を削除するか否かを判断する。具体的には、印刷を行った印刷装置２は、印刷終了後、他の印刷装置２に対し、印刷終了と共に、印刷ページ数を通知する。通知を受けた印刷装置２は、文書リスト記憶領域３１に記憶されている残ページ数から印刷ページ数を指し引き、残ページ数が「０」になったとき、文書リスト記憶領域３１や文書データベース３２から、対象となる文書に関する情報を削除する。
【００４９】
［変形例５］
また、印刷装置２は、変形例３および変形例４のように、文書リスト記憶領域３１に、文書の繰り返し数の残数や残ページ数を記憶する場合、それらの残数や残ページ数に応じて、文書リスト４０に表示する選択肢の表示形態を変化させてもよい。例えば、印刷装置２は、繰り返し数の残数や残ページ数に応じて、選択肢のアイコンを色分けして表示してもよい。
【００５０】
［変形例６］
また、文書ごとに、印刷制限ではなく、保存期間を設定可能である場合、印刷装置２は、保存期間の残期間に応じて、文書リスト４０に表示する選択肢の表示形態を変化させてもよい。例えば、印刷装置２は、保存期間の残期間に応じて、選択肢のアイコンを色分けして表示してもよい。
【００５１】
［変形例７］
また、印刷装置２は、文書データベース３２に蓄積数の制限がある場合であって、ユーザーが印刷指示を行った文書の印刷後削除設定が「印刷後削除設定：無効」に設定されている場合、ユーザーが文書を選択したとき、またはユーザーが印刷指示を行ったときに、蓄積数の残数、つまり残り蓄積数が閾値以下となっている場合、印刷指示を行った文書の印刷後削除設定を、「印刷後削除設定：有効」に変更するように、ユーザーに対して通知を行ってもよい。この構成によれば、文書データベース３２の蓄積数が上限値を超え、文書が蓄積されなくなることを抑制できる。
【００５２】
なお、さらなる変形例として、蓄積数の残数ではなく、文書データベース３２の残データ容量が閾値以下となっている場合、ユーザーに対して同様の通知を行ってもよい。
【００５３】
また、さらなる変形例として、印刷装置２は、印刷指示を行った文書だけではなく、文書データベース３２において、ログインしたユーザーのユーザーＩＤが対応付けられている全ての文書を対象として、印刷後削除設定を、「印刷後削除設定：有効」に変更するように、ユーザーに対して通知を行ってもよい。
【００５４】
また、さらなる変形例として、印刷装置２は、印刷指示を行った文書ではなく、文書データベース３２において、ログインしたユーザーのユーザーＩＤが対応付けられている全ての文書のうち、最終印刷日時が所定期間以上前の文書を対象として、印刷後削除設定を、「印刷後削除設定：有効」に変更するように、ユーザーに対して通知を行ってもよい。
【００５５】
また、さらなる変形例として、印刷装置２は、ユーザーに対し、印刷後削除設定の変更を促す通知ではなく、文書の圧縮処理を促す通知を行ってもよい。圧縮処理の対象となる文書は、印刷指示を行った文書、ログインしたユーザーのユーザーＩＤが対応付けられている全ての文書、ログインしたユーザーのユーザーＩＤが対応付けられている全ての文書のうち、最終印刷日時が所定期間以上前の文書、のいずれでもよい。
【００５６】
また、印刷装置２は、印刷後削除設定を変更するか、文書を圧縮処理するか、これらを行わないか、など、幾つかの選択肢をユーザーに提示し、ユーザーが選択した選択肢に対応する処理を行ってもよい。
【００５７】
また、印刷装置２は、印刷後削除設定または圧縮処理の対象となる文書を、印刷指示を行った文書、ログインしたユーザーのユーザーＩＤが対応付けられている全ての文書、ログインしたユーザーのユーザーＩＤが対応付けられている全ての文書のうち、最終印刷日時が所定期間以上前の文書、のいずれとするかの選択肢をユーザーに提示し、ユーザーが選択した選択肢に応じて、印刷後削除設定または圧縮処理の対象を決定してもよい。
【００５８】
［変形例８］
また、上記の実施形態では、印刷装置２において、文書ごとに印刷後削除設定を行うものとしたが、ＰＣ１側で印刷後削除設定を設定可能としてもよい。この場合、ＰＣ１にインストールされた、印刷装置２を制御するためのプリンタードライバーにおいて、印刷後削除設定を設定可能としてもよい。
【００５９】
［変形例９］
また、上記の実施形態では、文書の選択肢を非表示にする場合、図６に示したように、その文書の選択肢が元々表示されていた表示位置４４に、メッセージ４４ａを表示したが、図９に示すように、文書に対応する選択肢が削除されたときと同様に、表示位置４４を設けず、且つメッセージ４４ａを非表示としてもよい。
【００６０】
［変形例１０］
また、上記の実施形態では、印刷システムＳＹに含まれる複数台の印刷装置２が、いずれも親機と子機の両方として機能できるものとしたが、親機として機能する印刷装置２と、子機として機能する印刷装置２と、が予め決まっている構成でもよい。この場合、親機となる印刷装置２に文書データベース３２を備え、子機となる印刷装置２に文書リスト記憶領域３１を備えればよい。言い換えれば、親機となる印刷装置２は、文書リスト記憶領域３１を省略し、子機となる印刷装置２は、文書データベース３２を省略した構成でもよい。この場合、親機は、文書データベース３２を参照して、文書リスト４０を表示すればよい。
【００６１】
［変形例１１］
上記の実施形態では、子機で印刷を行う場合（図１２参照）、他の子機に対する文書A01の選択や印刷終了の通知は、親機を介して行ったが、印刷を行う子機から、親機を介さず、他の子機に対して直接行ってもよい。
【００６２】
［変形例１２］
上記の実施形態に示した印刷装置２の各処理を実行する方法、印刷装置２の各処理を実行するためのプログラム、またそのプログラムを記録したコンピューター読み取り可能な記録媒体も、発明の権利範囲に含まれる。また、上記の実施形態と各変形例を組み合わせた構成としてもよい。その他、印刷装置２の各処理をハードウェアとソフトウェアの協働により実現するなど、発明の要旨を逸脱しない範囲で、適宜変更が可能である。
【００６３】
［付記］
以下、印刷装置、および印刷システムの制御方法について付記する。
印刷装置２は、印刷ジョブを蓄積する記憶部２６と、記憶部２６に蓄積された印刷ジョブのうち、印刷対象となる印刷ジョブをユーザーが選択するための操作パネル２４と、他の印刷装置２からの要求に応じて、記憶部２６に蓄積された印刷ジョブを他の印刷装置２に送信し、他の印刷装置２に送信した印刷ジョブが印刷されている間、他の印刷装置２で印刷されている印刷ジョブである印刷中ジョブに印刷制限がある場合は、印刷中ジョブの操作パネル２４による選択を制限し、印刷中ジョブに印刷制限がない場合は、印刷中ジョブの操作パネル２４による選択を制限しない制御部２１を備える。
【００６４】
この構成によれば、他の印刷装置２に送信した印刷ジョブが印刷中であっても、印刷中の印刷ジョブである印刷中ジョブに印刷制限がない場合は、印刷中ジョブの操作パネル２４による選択を制限しないため、印刷中ジョブの選択を制限されることによるユーザーの不便さを解消することができる。
【００６５】
印刷装置２は、他の印刷装置２に蓄積されている印刷ジョブのうち、印刷対象となる印刷ジョブをユーザーが選択するための操作パネル２４と、選択された印刷ジョブの送信を、他の印刷装置２に要求し、他の印刷装置２に蓄積されている印刷ジョブが印刷されている間、他の印刷装置２で印刷されている印刷ジョブである印刷中ジョブに印刷制限がある場合は、印刷中ジョブの操作パネル２４による選択を制限し、印刷中ジョブに印刷制限がない場合は、印刷中ジョブの操作パネル２４による選択を制限しない制御部２１を備える。
【００６６】
この構成によれば、印刷装置２は、他の印刷装置２に蓄積されている印刷ジョブが印刷中であっても、印刷中の印刷ジョブである印刷中ジョブに印刷制限がない場合は、印刷中ジョブの操作パネル２４による選択を制限しないため、印刷中ジョブの選択を制限されることによるユーザーの不便さを解消することができる。
【００６７】
上記の印刷装置２において、制御部２１は、自装置で印刷ジョブが印刷されている間、自装置で印刷されている印刷ジョブに印刷制限がある場合は、他の印刷装置２に対し、自装置で印刷されている印刷ジョブの選択を制限させるための通知を行い、自装置で印刷されている印刷ジョブに印刷制限がない場合は、他の印刷装置２に対し、通知を行わないことが好ましい。
【００６８】
この構成によれば、印刷装置２は、自装置で印刷ジョブが印刷中であっても、印刷中の印刷ジョブに印刷制限がない場合は、他の印刷装置２に対し、自装置で印刷されている印刷ジョブの選択を制限させるための通知を行わないため、他の印刷装置２において、印刷中ジョブの選択を制限されることによるユーザーの不便さを解消することができる。
【００６９】
上記の印刷装置２において、操作パネル２４は、複数の印刷ジョブに対応した複数の選択肢のなかから、いずれかの選択肢が選択されることにより、印刷対象となる印刷ジョブが選択され、制御部２１は、印刷中ジョブに対応する選択肢を非表示とすることにより、操作パネル２４による選択を制限することが好ましい。
【００７０】
この構成によれば、印刷装置２は、印刷中ジョブに対応する選択肢を非表示とすることにより、操作パネル２４による印刷中ジョブの選択を確実に制限することができる。
【００７１】
上記の印刷装置２において、制御部２１は、操作パネル２４による選択を制限する場合、他の印刷装置２で印刷ジョブが印刷されている旨をユーザーに通知することが好ましい。
【００７２】
この構成によれば、印刷装置２は、印刷ジョブを選択できない理由をユーザーに通知することができる。
【００７３】
上記の印刷装置２において、印刷制限は、印刷ジョブの印刷を繰り返す回数の制限であることが好ましい。
【００７４】
この構成によれば、印刷装置２は、印刷ジョブの印刷を繰り返す回数を制限することができる。
【００７５】
上記の印刷装置２において、印刷制限は、印刷ジョブの印刷ページ数の制限であることが好ましい。
【００７６】
この構成によれば、印刷装置２は、印刷ジョブの印刷ページ数を制限することができる。
【００７７】
印刷システムＳＹの制御方法は、複数の印刷装置２の間で、印刷ジョブの送受信を行う印刷システムＳＹの制御方法であって、印刷装置２は、印刷対象となる印刷ジョブをユーザーが選択するための操作パネル２４を備えており、複数の印刷装置２のうち自装置以外の印刷装置２である他の印刷装置２で印刷されている印刷ジョブである印刷中ジョブに印刷制限がある場合は、印刷中ジョブの操作パネル２４による選択を制限し、印刷中ジョブに印刷制限がない場合は、印刷中ジョブの操作パネル２４による選択を制限しない。
【００７８】
この構成によれば、他の印刷装置２で印刷ジョブが印刷中であっても、印刷中の印刷ジョブである印刷中ジョブに印刷制限がない場合は、印刷中ジョブの操作パネル２４による選択を制限しないため、印刷中ジョブの選択を制限されることによる不便さを解消することができる。
【符号の説明】
【００７９】
２…印刷装置、２１…制御部、２１ａ…ＣＰＵ、２１ｂ…ＲＯＭ、２１ｃ…ＲＡＭ、２２…通信部、２３…カードリーダー、２４…操作パネル、２５…印刷機構、２６…記憶部、３１…文書リスト記憶領域、３２…文書データベース。
【図１】
2020168766.tif 000003
【図２】
2020168766.tif 000004
【図３】
2020168766.tif 000005
【図４】
2020168766.tif 000006
【図５】
2020168766.tif 000007
【図６】
2020168766.tif 000008
【図７】
2020168766.tif 000009
【図８】
2020168766.tif 000010
【図９】
2020168766.tif 000011
【図１０】
2020168766.tif 000012
【図１１】
2020168766.tif 000013
【図１２】
2020168766.tif 000014
【図１３】
2020168766.tif 000015